(57)【特許請求の範囲】
【請求項１】
医療処置の間に装着される衣料品に機械可読情報を印刷するように動作可能である印刷機器；
前記印刷機器に通信可能に結合されたプロセッサー；
前記プロセッサーに結合され、前記プロセッサーによって実行可能な命令を記憶するメモリ
を含む、システムであって；
前記プロセッサーが前記命令を実行するとき、前記システムは：
患者に関連する患者情報を受信し；
前記患者情報を符号化して、符号化された患者情報を生じ；および
前記符号化された患者情報に基づく機械可読情報を、前記医療処置の間に前記患者によって装着される前記衣料品に配置する
ように動作可能であり、
前記患者によって装着された前記衣料品の１つ以上の画像を取得し得るように構成されたカメラと、
前記機械可読情報から検索された１つ以上の情報の指示に基づいて、顕微鏡によって取得された画像を提供するように構成された、ディスプレイであって、該情報は、前記カメラによって取得された１つ以上の画像を処理することによって決定される、ディスプレイと、
を更に備える、システム。
【請求項２】
前記機械可読情報はバーコードを含む、請求項１に記載のシステム。
【請求項３】
前記バーコードは二次元バーコードである、請求項２に記載のシステム。
【請求項４】
前記システムが前記患者情報を符号化して、前記符号化された患者情報を生じるとき、前記システムは、グラフィック、ラスタ、ビットマップ、スカラー・ベクトル・グラフィック、および命令のうちの少なくとも１つを生じるように動作可能であり；および
前記プロセッサーが前記命令を実行するとき、前記システムは、さらに：
前記グラフィック、前記ラスタ、前記ビットマップ、前記スカラー・ベクトル・グラフィック、および前記命令のうちの前記少なくとも１つを前記印刷機器に提供して、前記グラフィック、前記ラスタ、前記ビットマップ、前記スカラー・ベクトル・グラフィック、および前記命令のうちの前記少なくとも１つに基づいて、前記符号化された患者情報に基づく前記機械可読情報を、前記医療処置の間に前記患者によって装着される前記衣料品に印刷する
ように動作可能である、請求項１、２、および３のいずれか一項に記載のシステム。
【請求項５】
前記機械可読情報は、医療処置を指示する情報を含む、請求項１、２、３、および４のいずれか一項に記載のシステム。
【請求項６】
前記機械可読情報は術前測定値を含む、請求項１、２、３、４、および５のいずれか一項に記載のシステム。
【請求項７】
前記機械可読情報は向き情報を含む、請求項１、２、３、４、５、および６のいずれか一項に記載のシステム。
【請求項８】
前記システムが前記患者情報を符号化して、前記符号化された患者情報を生じるとき、前記システムは、前記患者情報の少なくとも一部分を暗号化するように動作可能である、請求項１、２、３、４、５、６、および７のいずれか一項に記載のシステム。
【請求項９】
前記プロセッサーが前記命令を実行するとき、前記システムは、さらに：
前記印刷機器によって、前記患者情報に基づく術中支援情報を、前記医療処置の間に前記患者によって装着される前記衣料品に印刷する
ように動作可能である、請求項１、２、３、４、５、６、７、および８のいずれか一項に記載のシステム。
【請求項１０】
前記術中支援情報は、前記医療処置において使用される機器およびインプラントの少なくとも一方のグラフィックおよび描写の少なくとも１つを含む、請求項９に記載のシステム。
【請求項１１】
医療処置の間に装着される衣料品の印刷方法であって：
患者に関連する患者情報を受信すること；
前記患者情報の符号化し、符号化された患者情報を生じること；
印刷機器によって、前記符号化された患者情報に基づく機械可読情報を、医療処置の間に前記患者に装着される衣料品に印刷すること；
カメラによって、前記患者によって装着された前記衣料品の１つ以上の画像を取得すること；および
前記機械可読情報から検索された１つ以上の情報の指示に基づいて、顕微鏡によって取得された画像を提供することであって、該情報は、前記カメラによって取得された１つ以上の画像を処理することによって決定されている、こと；
を含む、方法。
【請求項１２】
前記機械可読情報はバーコードを含む、請求項１１に記載の方法。
【請求項１３】
前記バーコードは二次元バーコードである、請求項１２に記載の方法。
【請求項１４】
前記患者情報を符号化して、前記符号化された患者情報を生じることは、グラフィック、ラスタ、ビットマップ、スカラー・ベクトル・グラフィック、および命令のうちの少なくとも１つを生じることを含み；
前記方法は、さらに：
前記グラフィック、前記ラスタ、前記ビットマップ、前記スカラー・ベクトル・グラフィック、および前記命令のうちの前記少なくとも１つを前記印刷機器に提供して、前記グラフィック、前記ラスタ、前記ビットマップ、前記スカラー・ベクトル・グラフィック、および前記命令のうちの前記少なくとも１つに基づいて、前記符号化された患者情報に基づく前記機械可読情報を、前記医療処置の間に前記患者によって装着される前記衣料品に印刷すること
を含む、請求項１１、１２、および１３のいずれか一項に記載の方法。
【請求項１５】
前記機械可読情報は、医療処置を指示する情報を含む、請求項１１、１２、１３、および１４のいずれか一項に記載の方法。
【請求項１６】
前記機械可読情報は術前測定値を含む、請求項１１、１２、１３、１４、および１５のいずれか一項に記載の方法。
【請求項１７】
前記機械可読情報は向き情報を含む、請求項１１、１２、１３、１４、１５、および１６のいずれか一項に記載の方法。
【請求項１８】
前記患者情報を符号化して、前記符号化された患者情報を生じることは、前記患者情報の少なくとも一部分を暗号化することを含む、請求項１１、１２、１３、１４、１５、１６、および１７のいずれか一項に記載の方法。
【請求項１９】
前記患者情報に基づく術中支援情報を、前記医療処置の間に前記患者によって装着される前記衣料品に配置すること
をさらに含む、請求項１１、１２、１３、１４、１５、１６、１７、および１８のいずれか一項に記載の方法。
【請求項２０】
前記術中支援情報は、前記医療処置において使用される機器およびインプラントの少なくとも一方のグラフィックおよび描写の少なくとも１つを含む、請求項１９に記載の方法。
【発明の詳細な説明】
【技術分野】
【０００１】
本開示は、医療処置における品質保証に関し、より詳細には、医療処置を備える患者情報、または医療処置の工程要素を認証するためのシステムおよび方法に関する。
【背景技術】
【０００２】
従来、患者記録などの患者の情報は、通常、紙に印刷されており、および患者に物理的に取り付けられてはいなかった。これは、間違った患者記録を得る恐れを高めていた。例えば、患者が１個所から別の箇所へ動いたとき、間違った患者記録を得る恐れが高まった。例えば、いくつかの医療処置では、患者は、１つの医療施設（例えば、診療所）から別の医療施設（例えば、外科施設）へ移動する。
【０００３】
さらに、医療処置のいくつもの工程要素が増加するため、および／または医療処置の２つ以上の工程要素の間には長い時間が挟まれるため、エラーの可能性も高まり得る。例えば、医療処置の工程要素のそれぞれが、それ自体のエラーの機会を取り込み、および医療処置の工程要素の数が増えるため、総合的に医療処置のエラーの機会も増える。
【０００４】
さらに、患者識別のプロセスが、エラーの可能性を取り込み得る。例えば、患者の１つ以上の部分が、医療処置の間、視界から見えないようにされ得る。例えば、患者の顔の１つ以上の部分は、外科的処置の間、覆われ得る。これはまた、患者の体の１つ以上の部分の間違った向き（例えば、位置決め）によって、エラーの可能性を取り込み得る。
【発明の概要】
【課題を解決するための手段】
【０００５】
本開示は、医療処置の間に装着される衣料品に機械可読情報を印刷できる印刷機器と、印刷機器に通信可能に結合されたプロセッサーと、プロセッサーに結合され、プロセッサーによって実行可能な命令を記憶するメモリとを含む、システムを提供する。プロセッサーが命令を実行するとき、システムは、患者に関連する患者情報を受信すること、患者情報を符号化し、符号化された患者情報を生じること、および符号化された患者情報に基づいて、医療処置の間に患者によって装着される衣料品に機械可読情報を配置することができる。
【０００６】
本開示は、さらに、システムによる実行時に、システムに上述のステップを実行させる命令を備える非一時的なコンピュータ可読メモリ機器を含み得る。
【０００７】
本開示は、さらに、以下の追加的な特徴の１つ以上を備える上述のようなシステムまたは非一時的なコンピュータ可読メモリ機器を含み、これらは、互いに明白に相互排他的ではない限り、組み合わせて使用され得る：ｉ）機械可読情報はバーコードを含み得る；ｉｉ）バーコードは二次元バーコードとし得る；ｉｉｉ）システムが患者情報を符号化して、符号化された患者情報を生じるとき、システムは、グラフィック、ラスタ、ビットマップ、スカラー・ベクトル・グラフィック、および命令のうちの少なくとも１つを生じることができてもよく、およびプロセッサーが命令を実行するとき、システムは、さらに、グラフィック、ラスタ、ビットマップ、スカラー・ベクトル・グラフィック、および命令のうちの少なくとも１つを印刷機器に提供して、グラフィック、ラスタ、ビットマップ、スカラー・ベクトル・グラフィック、および命令のうちの少なくとも１つに基づいて、符号化された患者情報に基づく機械可読情報を、医療処置の間に患者によって装着される衣料品に印刷できてもよい；ｉｖ）機械可読情報は、医療処置を指示する情報を含み得る；ｖ）機械可読情報は術前測定値を含み得る；ｖｉ）機械可読情報は向き情報を含み得る；ｖｉｉ）システムが患者情報を符号化して、符号化された患者情報を生じるとき、システムは、患者情報の少なくとも一部分を暗号化できてもよい；ｖｉｉｉ）プロセッサーが命令を実行するとき、システムは、さらに、印刷機器によって、患者情報に基づく術中支援情報を、医療処置の間に患者によって装着される衣料品に印刷できてもよい；ｉｘ）術中支援情報は、医療処置において使用される機器およびインプラントの少なくとも１つのグラフィックおよび描写の少なくとも１つを含み得る。
【０００８】
本開示はまた、患者に関連する患者情報を受信し、患者情報を符号化し、符号化された患者情報を生じ、および印刷機器によって、符号化された患者情報に基づく機械可読情報を、医療処置の間に患者によって装着される衣料品に印刷することによって、医療処置の間に装着される衣料品の印刷方法を提供する。
【０００９】
本開示は、さらに、以下の追加的な特徴の１つ以上を備える上述のようなシステムまたは非一時的なコンピュータ可読メモリ機器を含み、これらは、互いに明白に相互排他的ではない限り、組み合わせて使用され得る：ｉ）機械可読情報はバーコードを含み得る；ｉｉ）バーコードは二次元バーコードとし得る；ｉｉｉ）患者情報を符号化し、符号化された患者情報を生じることは、グラフィック、ラスタ、ビットマップ、スカラー・ベクトル・グラフィック、および命令のうちの少なくとも１つを生じることを含み得、および方法は、さらに、グラフィック、ラスタ、ビットマップ、スカラー・ベクトル・グラフィック、および命令のうちの少なくとも１つを印刷機器に提供して、グラフィック、ラスタ、ビットマップ、スカラー・ベクトル・グラフィック、および命令のうちの少なくとも１つに基づいて、符号化された患者情報に基づく機械可読情報を、医療処置の間に患者によって装着される衣料品に印刷することを含み得る；ｉｖ）機械可読情報は、医療処置を指示する情報を含み得る；ｖ）機械可読情報は術前測定値を含み得る；ｖｉ）機械可読情報は向き情報を含み得る；ｖｉｉ）患者情報を符号化し、符号化された患者情報を生じることは、患者情報の少なくとも一部分を暗号化することを含み得る；ｖｉｉｉ）方法は、さらに、患者情報に基づく術中支援情報を、医療処置の間に患者によって装着される衣料品に配置することを含み得る；ｉｘ）術中支援情報は、医療処置において使用される機器およびインプラントの少なくとも１つのグラフィックおよび描写の少なくとも１つを含み得る。
【００１０】
上述のシステムのいずれかは、上述の方法のいずれかを実行できてよく、および上述の非一時的なコンピュータ可読メモリ機器のいずれかは、システムに、上述の方法のいずれかを実行させることができてよい。上述の方法のいずれかは、上述のシステムのいずれかで、または上述の非一時的なコンピュータ可読メモリ機器のいずれかを使用して、実施され得る。
【００１１】
本開示およびその特徴および利点をより完全に理解するために、ここで、縮尺通りではない添付図面と併せて、以下の説明を参照する。
【図面の簡単な説明】
【００１２】
【図１】１つ以上の実施形態による、医療処置において使用され得る医療システムを示す。
【図２Ａ】１つ以上の実施形態による処理システムを示す。
【図２Ｂ】１つ以上の実施形態による、処理システムを含む医療システムのブロック図を提供する。
【図２Ｃ】１つ以上の実施形態による、処理システムに通信可能に結合された医療システムのブロック図を提供する。
【図２Ｄ】１つ以上の実施形態による、ネットワークを介して処理システムに通信可能に結合された医療システムのブロック図を提供する。
【図３Ａ】１つ以上の実施形態による、カメラを含む携帯型医療スタッフ機器のブロック図を提供する。
【図３Ｂ】１つ以上の実施形態による、光学的取得機器に通信可能に結合された携帯型医療スタッフ機器のブロック図を提供する。
【図４】１つ以上の実施形態による、機械可読情報を含むヘッドバンドとして供される衣料品を示す。
【図５】１つ以上の実施形態による、機械可読情報を含むキャップまたは帽子として供される衣料品を示す。
【図６】１つ以上の実施形態による、様々な位置に機械可読情報を含む手術着のシャツとして供される衣料品を示す。
【図７】１つ以上の実施形態による、様々な位置に機械可読情報を含む手術着のズボンおよび検査用半ズボンとして供される衣料品を示す。
【図８】１つ以上の実施形態による、印刷プロセスおよびシステムのブロック図を提供する。
【図９】１つ以上の実施形態による、医療処置に関連する機械可読情報を提供する方法を示す。
【図１０】１つ以上の実施形態による、患者に関連する機械可読情報の処理方法を示す。
【図１１】１つ以上の実施形態による、患者および機械可読情報の向きに関連する機械可読情報の処理方法を示す。
【発明を実施するための形態】
【００１３】
以下の説明では、開示の主題の説明を容易にするために、例として詳細が説明される。しかしながら、当業者には、この説明は例示にすぎず、全ての可能性を包括するものではないことが明らかである。
【００１４】
本明細書では、参照符号とそれに続く文字は、要素の特定の事例を指し、および参照符号の符号のみの形態は、集合的な要素を指す。それゆえ、例えば、機器「１２ａ」は、機器の種類の例を指し、これは、集合的に機器「１２」と呼ばれることがあり、およびそのいずれか１つが、一般的に機器「１２」と呼ばれ得る。
【００１５】
機械可読情報は、医療処置において使用される衣料品に印刷および／または配置され得る。例えば、機械可読情報は、患者および／または医療関係者によって装着される衣料品に印刷および／または配置され得る機械可読マーキングを含み得る。機械可読情報は、治療前、治療中、および／または治療後に患者によって装着される衣料品に印刷および／または配置され得る患者および／または治療情報を含み、患者の識別情報を提供し得るおよび／または患者治療情報を提供し得る。
【００１６】
機械可読情報を処理する１つ以上のデータ処理システムを使用することによって、治療前、治療中、および／または治療後のいくつかの間違いおよび／またはエラーを少なくし得るまたはなくし得る。例えば、機械可読情報は、医療処置のために、患者によって装着される衣料品に印刷および／または配置された１つ以上の光コードを含み得、および医療関係者によって使用される機器は、１つ以上の光コードを読み取り得る。１つ以上の光コードは、治療を指示し、および特に、患者、インプラント、および医療器械のうちの１つ以上の向きを指図および／または設定し得る。１つ以上の光コードは、認証情報を提供し得る、および／または認証プロセスにおいて使用され得、これにより、不正行為を少なくし得るおよび／またはなくし得る。
【００１７】
患者によって装着される衣料品は、使い捨てとしてもよく、および機械可読情報は、使い捨ての衣料品に印刷および／または配置され得る。例えば、機械可読情報は、使い捨ての衣料品に印刷および／または配置され得る１つ以上の光コードを含み得る。患者によって装着される衣料品は、再使用可能としてもよく、および機械可読情報は、媒体に印刷および／または配置され、その後、再使用可能な衣料品に接着され得る。例えば、１つ以上の光コードは、紙、布、またはプラスチック媒体に印刷および／または配置され、および留め具を備える再使用可能な衣料品に留められ得る。留め具は接着剤を含み得る。留め具は、特に、クリップおよび安全ピンのうちの１つ以上を含み得る。
【００１８】
機械可読情報は、治療の選択および／または応用に役立ち得るおよび／またはそれを支援し得る。一例では、１つ以上の光コードは、医療処置を指示し得、および患者情報は、検索されて、医療処置において使用される１つ以上の医療機器に提供され得る。別の例では、医療処置は、眼の医療処置を含み得、および特に、患者の眼の画像、半径、急勾配軸および扁平軸（ｓｔｅｅｐ  ａｎｄ  ｆｌａｔ  ａｘｅｓ）の角膜曲率、縁の位置および直径、瞳孔の位置および直径、および角膜反射位置のうちの１つ以上が、検索されおよび／または外科用顕微鏡に提供されて、基準および顕微鏡画像を表示し得、これにより、外科医が、眼球の側方へのおよび回転する動きを考慮できるようにし得る。
【００１９】
ここで図面を参照すると、図１には、１つ以上の実施形態に従って、医療処置において使用され得る医療システム１００を示している。図１は、特定の医療器具を含むが、医療システム１００は、それよりも少ない器具を含んでも、または、追加的な器具を含んでもよい。例えば、医療システム１００は、図示の器具を使用しないかもしれないおよび／または具体的には図示しない他の器具を含むかもしれない、１つ以上の特定の医療処置用に構成され得る。
【００２０】
図示の通り、患者１１０は、台１１５によって支持され得る。台１１５は、可動の台として示されているが、台１１５は、床に固定されていても、または床に実質的に固定されていてもよい（例えば、簡単には動かされない）。患者１１０は、医療処置を受けるところである。一例では、医療処置は白内障手術を含み得る。第２の例では、医療処置はレーザ眼科手術を含み得る。別の例では、医療処置は角膜移植を含み得る。開示の手術の例は包括的ではなく、他のタイプの手術が、本明細書で開示される方法およびシステムを使用してもよい。
【００２１】
図示の通り、医療システムは、顕微鏡１２０を含み得る。顕微鏡１２０は、顕微鏡一体型ディスプレイ（ＭＩＤ：ｍｉｃｒｏｓｃｏｐｅ  ｉｎｔｅｇｒａｔｅｄ  ｄｉｓｐｌａｙ）とし得るまたはそれを含み得る。一例では、顕微鏡１２０は、医療処置の間に使用され得る医療情報によって、患者の１つ以上の画像を拡大し得る。別の例では、顕微鏡１２０は、情報を外科医または他の医療関係者に表示してもよく、これにより、外科医または他の医療関係者が、手術を中断することなく、患者の医療データを見ることができるようにする。
【００２２】
顕微鏡１２０はカメラを含み得る。一例では、カメラは、患者１１０の１つ以上の画像を取得し得る。別の例では、カメラは、患者１１０によって装着されているおよび／または患者１１０に付着されている衣料品１２５の１つ以上の画像を取得し得る。図示の通り、衣料品１２５は、患者１１０によって装着されているおよび／または患者１１０に付着されているヘッドバンドとし得るまたはそれを含み得る。衣料品１２５は、図示の通り、ヘッドバンドとし得るまたはそれを含み得るが、衣料品１２５は、患者１１０によって装着されているおよび／または患者に付着されている他のアイテムおよび／または衣料品とし得るまたはそれを含み得る。例えば、衣料品１２５は、特に、手術着のズボン、包帯、手術着のシャツ、１つ以上のソックス、１つ以上のスリッパ、患者のガウン、検査用ケープ、検査用半ズボン、またはローブとし得るまたはそれを含み得る。
【００２３】
衣料品１２５は、患者１１０に関連付けられる機械可読情報１３０を含み得る。一例では、機械可読情報１３０は、バーコードなどの機械可読マーキングとし得るまたはそれを含み得る。バーコードは一次元バーコードとし得る。バーコードは多次元バーコードとし得る。別の例では、機械可読情報１３０は、シンボルとし得るまたはそれを含み得る。シンボルは、書き言葉の文字（例えば、英語、ドイツ語、フランス語、中国語、ロシア語など）とし得るまたはそれを含み得、これは、光文字認識（ＯＣＲ）プロセスおよび／またはシステムによって処理され得る。
【００２４】
機械可読情報１３０は、患者１１０に関連する情報を記憶するために使用され得る。一例では、患者１１０に関連する情報は、患者１１０に関連する識別情報を含み得る。識別情報は、特に、氏名、誕生日、および政府識別情報のうちの１つ以上を含み得る。第２の例では、患者１１０に関連する情報は、患者１１０に関連する医療情報を含み得る。患者１１０に関連する医療情報は、特に、医療処置、投薬リスト、医療処置の対象である患者１１０の部分、１つ以上の薬物アレルギー、診断、および医療処置のための患者１１０の向きのうちの１つ以上を含み得る。別の例では、患者１１０に関連する情報は、索引付け情報を含み得る。索引付け情報は、患者１１０に関連する情報を記憶するデータベースおよび／または記憶装置に索引を付けるために使用され得る。索引付け情報は、鍵として使用され得るまたは鍵を形成するために使用され得、鍵は、患者１１０に関連する情報を記憶するデータベースおよび／または記憶装置から、患者１１０に関連する情報を検索するために使用され得る。
【００２５】
機械可読情報１３０は、任意の種類の支持媒体形式（例えば、紙、布、プラスチックカード、ステッカーなど）上の患者記録の一部として印刷および／または配置され得る。例えば、機械可読情報１３０は、バーコードおよび／またはカスタム光コードおよび／またはマーキングを含み得る。医療現場において使用される機器は、機械可読情報１３０を取得し得るカメラを含み得、および機器は、機械可読情報１３０を処理して、患者の治療および／または医療処置を選択し得る。
【００２６】
機械可読情報１３０を取得し得るカメラは、入ってくる光子を電荷および／または電気信号に変換する１つ以上のデジタルイメージセンサーを含み得る。一例では、１つ以上のデジタルイメージセンサーは、１つ以上の電荷結合素子（ＣＣＤ）を含み得る。別の例では、１つ以上のデジタルイメージセンサーは、１つ以上の相補型金属酸化膜半導体（ＣＭＯＳ）素子を含み得る。
【００２７】
図示の通り、衣料品１２５は、向き情報１３５〜１４５などの向き情報を含み得る。図示の通り、向き情報１３５は、患者１２５の足に対する衣料品１２５の適切な方向に関して、衣料品１２５の向き決定に役立ってもよく、および向き情報１４０は、患者１１０の頭部に対する衣料品１２５の適切な方向に関して、衣料品１２５の向き決定に役立ってもよい。具体的には図示しないが、衣料品１２５は、前向きまたは後向きを指示する向き情報を含み得る。図示の通り、衣料品１２５は、衣料品１２５を患者１１０に割り当てるのに使用され得る氏名情報１５０を含み得る。具体的には図示しないが、誕生日などの他のマーキングが、衣料品１２５を患者１１０に割り当てるのに使用され得る。向き情報１４５は、特に、医療処置において使用される器械およびインプラントの１つ以上の向き決定に役立ち得る。
【００２８】
図示の向き情報は、いくつかの態様においては特定的とし得るが、向き情報は、１人以上の医療関係者に対して、変更され得るおよび／または異なる向きにされ得る。一例では、一人目の医師は、上位（ｓｕｐｅｒｉｏｒ  ｐｏｓｉｔｉｏｎ）によって手術を行い得る。第２の例では、二人目の医師は、患者１１０の一方の側部または患者１１０のもう一方の側部など、側頭位（ｔｅｍｐｏｒａｌ  ｐｏｓｉｔｉｏｎ）によって手術を行い得る。別の例では、三人目の医師は、患者１１０に対して任意の角度にあるなどの斜位（ｏｂｌｉｑｕｅ  ｐｏｓｉｔｉｏｎ）によって手術を行い得る。
【００２９】
図示の通り、医療システム１００はディスプレイ１５５および１６０を含み得る。顕微鏡１２０はディスプレイ１５５を含み得る。例えば、ディスプレイ１５５は、顕微鏡１２０用のヘッドアップディスプレイとし得るまたはそれを含み得る。ディスプレイ１６０は、顕微鏡１２０によって取得された画像を表示し得る。例えば、他の医療関係者および／または医学生は、ディスプレイ１６０を使用して、顕微鏡１２０によって取得された画像を見てもよい。ディスプレイ１６０は、患者１１０に関連する情報を表示し得る。例えば、ディスプレイ１６０は、患者１１０のバイタルサインを提供し得る。
【００３０】
医療システム１００と関連するプロセッサーは、機械可読情報１３０を処理し、かつ医療システム１００を使用する医療処置が正当と認められたかおよび／または許可されたかを決定し得る。プロセッサーが、医療システム１００を使用する医療処置が正当と認められたおよび／または許可されたと決定する場合、プロセッサーは、医療処置に対する医療システム１００の使用を許可し得る。プロセッサーが、医療システム１００を使用する医療処置が正当と認められなかったおよび／または許可されなかったと決定する場合、プロセッサーは、医療システム１００の１つ以上の部分の機能を許可しないかもしれない。一例では、プロセッサーは、顕微鏡１２０および／またはディスプレイ１５５の機能を許可しないかもしれない。別の例では、プロセッサーは、顕微鏡１２０および／またはディスプレイ１５５の機能を許可しないかもしれないが、プロセッサーは、ディスプレイ１６０が患者１１０のバイタルサインを提供することを許可し得るかまたは許可し続け得る。
【００３１】
医療システム１００と関連するプロセッサーは、機械可読情報１３０を処理し、かつ機械可読情報１３０の向きが１つ以上の規則に従っているかどうかを決定し得る。例えば、１つ以上の規則は、機械可読情報１３０が顕微鏡１２０に関して特定の方法で位置合わせされることを規定し得る。機械可読情報１３０が患者１１０に取り付けられているとき、１つ以上の規則は、患者１１０が顕微鏡１２０に関して特定の方法で位置合わせされることを効果的に規定し得る。１つ以上の位置合わせの規則は、顕微鏡１２０に関して機械可読情報１３０の傾き、ロール、方位角、およびヨーのうちの１つ以上を含み得る。
【００３２】
そのようなものとして、プロセッサーが、医療処置で、機械可読情報１３０の向きが１つ以上の規則に従っていると決定する場合、プロセッサーは、医療処置に対する医療システム１００の使用を許可し得る。プロセッサーが、機械可読情報１３０の向きが１つ以上の規則に従っていないと決定する場合、プロセッサーは、医療システム１００の１つ以上の部分の機能を許可しないかもしれない。
【００３３】
ここで図２Ａを参照すると、１つ以上の実施形態による処理システム２００が示されている。図２Ａは特定の要素を含むが、処理システム２００は、より少ない要素を含んでも、または追加的な要素を含んでもよい。図示の通り、処理システム２００は、プロセッサー２１０と、プロセッサー２１０に結合されたメモリ２１５とを含み得る。メモリ２１５は、特に、永続性（ｐｅｒｓｉｓｔｅｎｔ）および揮発性媒体、固定媒体およびリムーバブルメディア、および磁気および半導体媒体を含み得る。メモリ２１５は、少なくとも一時期、実行可能なコードなどのデータおよび命令を記憶する非一時的な（ｎｏｎ−ｔｒａｎｓｉｔｏｒｙ）コンピュータ可読媒体などの記憶媒体を含み得る。メモリ２１５は、限定されるものではないが、記憶媒体、例えばハードディスクドライブを含む直接アクセス記憶装置、順次アクセス記憶装置、例えばテープディスクドライブ、コンパクトディスク（ＣＤ）、ランダムアクセスメモリ（ＲＡＭ）、リードオンリーメモリ（ＲＯＭ）、ＣＤ−ＲＯＭ、デジタルバーサタイルディスク（ＤＶＤ）、電気的消去可能プログラマブルリードオンリーメモリ（ＥＥＰＲＯＭ）、フラッシュメモリ、非一時的な媒体、および／または上記の組み合わせ１つ以上を含み得る。図示の通り、メモリ２１５はプロセッサー命令２２０を含み得る。
【００３４】
プロセッサー２１０は、プロセッサー命令２２０を実行して、本明細書で説明される１つ以上のシステム、処理、および／または方法を実施し得る。例えば、プロセッサー命令２２０は、本明細書で説明されるフローチャート、方法、および／またはプロセスのうちの１つ以上に従った命令によって、構成、コード化、および／または符号化され得る。記憶媒体およびメモリ媒体の１つ以上は、ソフトウェア製品、プログラム製品、および／または製造品とし得る。例えば、ソフトウェア製品、プログラム製品、および／または製造品は、本明細書で説明されるフローチャート、方法、および／またはプロセスのうちの１つ以上に従って、プロセッサーにより実行可能な命令によって構成、コード化、および／または符号化され得る。
【００３５】
プロセッサー２１０は、メモリ２１５に記憶されるおよび／またはネットワークを介して受信されるプログラム命令、処理データ、またはそれら双方を解釈および実行するように動作可能である任意の好適なシステム、機器、または装置を含み得る。プロセッサー２１０は、さらに、１つ以上のマイクロプロセッサー、マイクロコントローラ、デジタルシグナルプロセッサー（ＤＳＰ）、特定用途向け集積回路（ＡＳＩＣ）、またはプログラム命令、処理データ、またはそれら双方を解釈および実行するように構成された他の電子回路を含み得る。
【００３６】
図示の通り、プロセッサー２１０は、入力／出力（Ｉ／Ｏ）機器２２５に通信可能に結合され得る。Ｉ／Ｏ機器２２５は、ユーザからの入力およびユーザへの出力を容易にすることによって、ユーザが処理システム２００およびその関連の構成要素と相互作用できるようにする、いずれかの１つまたは複数の手段（ｉｎｓｔｒｕｍｅｎｔａｌｉｔｙ）を含み得る。ユーザからの入力を容易にすることによって、ユーザは、処理システム２００を操作できるようになり、およびユーザへの出力を容易にすることによって、処理システム２００は、ユーザの操作の効果を示すことができるようにし得る。例えば、Ｉ／Ｏ機器２２５は、ユーザがデータ、命令、またはそれら双方を処理システム２００に入力できるようにし得る、およびそうでなければ処理システム２００およびその関連の構成要素を操作できるようにする。Ｉ／Ｏ機器は、ユーザインターフェース機器、例えばキーボード、マウス、タッチスクリーン、ジョイスティック、ハンドヘルドレンズ、ツール追跡機器、座標入力機器、または医療システム、例えば医療システム１００（図１参照）と一緒に使用するのに好適な任意の他のＩ／Ｏ機器を含み得る。
【００３７】
Ｉ／Ｏ機器２２５は、特に、１つ以上のバス、１つ以上のシリアルデバイス、および／または１つ以上のネットワークインターフェースを含み得、それにより、プロセッサー２１０が、本明細書で説明される１つ以上のシステム、処理、および／または方法を実施することを容易にし得るおよび／または許可し得る。一例では、Ｉ／Ｏ機器２２５は、プロセッサー２１０が外部ストレージ２３０ａと通信するのを容易にし得るおよび／または許可し得るストレージインターフェースを含み得る。ストレージインターフェースは、特に、ユニバーサルシリアルバス（ＵＳＢ）インターフェース、ＳＡＴＡ（Ｓｅｒｉａｌ  ＡＴＡ）インターフェース、ＰＡＴＡ（Ｐａｒａｌｌｅｌ  ＡＴＡ）インターフェース、およびスモールコンピュータシステムインターフェース（ＳＣＳＩ）のうちの１つ以上を含み得る。第２の例では、Ｉ／Ｏ機器２２５は、プロセッサー２１０がネットワーク２３５と通信するのを容易にし得るおよび／または許可し得るネットワークインターフェースを含み得る。Ｉ／Ｏ機器２２５は、ワイヤレスネットワークインターフェースおよび有線ネットワークインターフェースの１つ以上を含み得る。別の例では、Ｉ／Ｏ機器２２５は、特に、ペリフェラルコンポーネントインターコネクト（ＰＣＩ）インターフェース、ＰＣＩ  Ｅｘｐｒｅｓｓ（ＰＣＩｅ）インターフェース、シリアルペリフェラルインターコネクト（ＳＰＩ）インターフェース、およびＩ２Ｃ（ｉｎｔｅｒ−ｉｎｔｅｇｒａｔｅｄ  ｃｉｒｃｕｉｔ）インターフェースのうちの１つ以上を含み得る。
【００３８】
図示の通り、ストレージ２３０ｂはネットワーク２３５に結合され得る。プロセッサー２１０は、ネットワーク２３５を介してストレージ２３０ｂにアクセスし得る。例えば、プロセッサー２１０は、ストレージ２３０ｂによってデータを記憶し得るおよび／またはストレージ２３０ｂによってデータを検索し得る。プロセッサー２１０は、ストレージ２３０ｂによって、患者１１０（図１参照）に関連する情報を記憶し得るおよび／またはストレージ２３０ｂによって、患者１１０に関連する情報を検索し得る。
【００３９】
ネットワーク２３５は、１つ以上のネットワークを含み得る。一例では、ネットワーク２３５は、ローカルエリアネットワーク（ＬＡＮ）を含み得る。第２の例では、ネットワーク２３５は、広域ネットワーク（ＷＡＮ）の一部分を含み得るおよび／またはそれを形成し得る。ネットワーク２３５は、インターネットの一部分を含み得るおよび／またはそれを形成し得る。別の例では、ネットワーク２３５は、有線およびワイヤレスネットワークの１つ以上を含み得る。
【００４０】
ネットワーク２３５は１つ以上のネットワークに結合され得る。一例では、ネットワーク２３５は公衆交換電話網（ＰＳＴＮ）に結合され得る。別の例では、ネットワーク２３５は公衆ＷＡＮに結合され得る。公衆ＷＡＮはインターネットを含み得る。
【００４１】
ここで図２Ｂ〜２Ｄを参照すると、１つ以上の実施形態による医療システム１００および処理システム２００の様々な構成が示されている。図２Ｂに示す通り、医療システム１００（図１参照）は、処理システム２００を含み得る。処理システム２００は、医療システム１００の１つ以上の部分に通信可能に結合され得る。例えば、プロセッサー２１０は、医療システム１００の１つ以上の部分を制御し得るおよび／またはそれへのアクセスコントロールを提供し得る。プロセッサー２１０は、Ｉ／Ｏ機器２２５を介して医療システム１００の１つ以上の部分に通信可能に結合され、医療システム１００の１つ以上の部分を制御し得るおよび／またはそれへのアクセスコントロールを提供し得る。
【００４２】
処理システム２００は、医療システム１００の外部にあってもよく、および医療システム１００（図１参照）は、処理システム２００に通信可能に結合され得る。図２Ｃおよび図２Ｄに示す通り、処理システム２００は、医療システム１００の外部にあってもよい。一例では、処理システム２００は、図２Ｃに示す通り、Ｉ／Ｏ機器２２５を介して医療システム１００に通信可能に結合され得る。別の例では、処理システム２００は、図２Ｄに示すネットワーク２３５を介して医療システム１００に通信可能に結合され得る。
【００４３】
ここで図３Ａおよび図３Ｂを参照すると、１つ以上の実施形態による携帯型医療スタッフ機器３００が示されている。図３Ａに示す通り、携帯型医療スタッフ機器３００ａは、カメラ３１０およびスクリーン３２０ａを含み得る。図３Ｂに示す通り、携帯型医療機器３００ｂは、光学的取得（ＯＡ）機器３３０およびスクリーン３２０ｂの１つ以上に結合され得る。ＯＡ機器３３０は、特に、カメラおよび光コードリーダの１つ以上とし得るまたはそれを含み得る。一例では、ＯＡ機器３３０は、有線式に携帯型医療機器３００ｂに結合され得る。別の例では、ＯＡ機器３３０は、ワイヤレス式に携帯型医療機器３００ｂに結合され得る。
【００４４】
携帯型医療スタッフ機器３００は、カメラ３１０（図３Ａ参照）またはＯＡ機器３３０（図３Ｂ参照）によって、機械可読情報１３０を取得するために使用され得る。一例では、携帯型医療スタッフ機器３００は、１人以上の医療スタッフが、機械可読情報１３０が患者１１０に関連しているかを確認するのを容易にし得るおよび／または許可し得る。スクリーン３２０ａは、機械可読情報１３０に基づいて、識別情報、例えば氏名、誕生日などを提供し得、および１人以上の医療スタッフが、患者１１０または患者１１０の医療代理人とその情報を確認し得る。別の例では、携帯型医療スタッフ機器３００は、１人以上の医療スタッフが患者を、医療施設を経由して送り届けるのを容易にし得るおよび／または許可し得る。スクリーン３２０は、機械可読情報１３０に基づいて経路指示情報（例えば、目的地など）を提供し得る。
【００４５】
携帯型医療スタッフ機器３００は、機械可読情報１３０から検索したおよび／またはデータベースから検索した情報を提供し得る。一例では、機械可読情報１３０は、符号化されたマーキングを含み得、および携帯型医療スタッフ機器３００は、機械可読情報１３０を処理し、かつ符号化された情報の一部または全てを提供し得る。別の例では、携帯型医療スタッフ機器３００は、機械可読情報１３０に基づいて、データベースおよび／または記憶装置からの情報を検索し、かつスクリーン３２０を介して検索した情報を提供し得る。データベースおよび／または記憶装置は、携帯型医療スタッフ機器３００のローカルとし得る。携帯型医療スタッフ機器３００は、ネットワーク（例えば、ネットワーク２３５）を介してデータベースおよび／または記憶装置にアクセスし得る。
【００４６】
携帯型医療スタッフ機器３００は、任意のタイプの携帯型処理機器を含み得る。例えば、携帯型医療スタッフ機器３００は、特に、携帯情報端末（ＰＤＡ）、ラップトップコンピュータシステム、無線電話機器、タブレットコンピューティング機器、およびモバイルコンピューティングシステムを含み得る。
【００４７】
ここで図４〜７を参照すると、１つ以上の実施形態による、機械可読情報を備える様々な衣料品が示されている。図４は、患者１１０（図１参照）によって装着され得るヘッドバンドとして供される衣料品４２５を示す。図示の通り、衣料品４２５は、氏名４５０と、患者１１０に関連する機械可読情報４３０とを含み得る。機械可読情報４３０は、二次元バーコードとし得るまたはそれを含み得る。例えば、二次元バーコードは、スタック型リニアバーコードシンボルフォーマットであるＰＤＦ４１７バーコードとし得るまたはそれを含み得る。
【００４８】
機械可読情報４３０は、例えば、特に、氏名、誕生日、手術のタイプ、患者１１０（図１参照）に関連する情報の少なくとも一部分のチェックサム、１つ以上の場所、および医療処置情報のうちの１つ以上を含み得る。機械可読情報４３０は、カンマで区切った値列、例えば「Ｊｏｈｎ  Ｄｏｅ，０９Ｊａｎｕａｒｙ１９５５，ｃａｔａｒａｃｔ，３６２６ＥＥ２Ｆ，ＯＲ７，ＲＲ６Ｂ，ａｘｉｓ  ４５，ｔｏｒｉｃ  ｌｅｎｓ，ＳＮ６Ａ  Ｔ３  ２６．５０Ｄ」を含み得る。例えば、「ｃａｔａｒａｃｔ（白内障）」は手術のタイプであり、「３６２６ＥＥ２Ｆ」は、「ＯＲ７，ＲＲ６Ｂ，ａｘｉｓ  ４５，ｔｏｒｉｃ  ｌｅｎｓ，ＳＮ６Ａ  Ｔ３  ２６．５０Ｄ」のチェックサム（例えば、３２ビット巡回冗長検査）であり、および「ａｘｉｓ  ４５（軸４５）」、「ｔｏｒｉｃ  ｌｅｎｓ（トーリックレンズ）」、「ＳＮ６Ａ  Ｔ３  ２６．５０Ｄ」は、医療処置に関連する医療関係者に対する情報とし得る。
【００４９】
患者１１０に関連する情報の１つ以上の部分は、暗号化され得る。例えば、「Ｊｏｈｎ  Ｄｏｅ，０９Ｊａｎｕａｒｙ１９５５，ｃａｔａｒａｃｔ，３６２６ＥＥ２Ｆ」は、暗号化され得る。患者情報の１つ以上の部分の暗号化を使用することによって、１つ以上の方針、１つ以上の規則、１つ以上の規制、および／または１つ以上の法律に従うことを容易にし得るおよび／または許可し得る。患者情報の１つ以上の部分の暗号化を使用することによって、患者情報の１つ以上の部分の認証を容易にし得るおよび／または許可し得る。
【００５０】
図示の通り、機械可読情報４３０は、列「ＬｚＥｓＪｋｂＷ８ｘｄｆ７０ｖＦ＋７ｗＴＤ６ｎ５ｚｋｔＦｌ３ＢＨＧＦｂＨｈＭＱｋｖＪ９ｆ４ｅｋ４ＨｕＣＭ７ｙ５９ＸＣｒ０ｒＣｈｄ，ＯＲ７，ＲＲ６Ｂ，ａｘｉｓ  ４５，ｔｏｒｉｃ  ｌｅｎｓ，ＳＮ６Ａ  Ｔ３  ２６．５０Ｄ」によって生成されたバーコードを含み、ここで、「Ｊｏｈｎ  Ｄｏｅ，０９Ｊａｎｕａｒｙ１９５５，ｃａｔａｒａｃｔ，３６２６ＥＥ２Ｆ」は、ＡＥＳ−１２８（１２８ビット高度暗号化標準）によって暗号化されており、「Ｑｒ３９Ｐｔ７Ｌ」の暗号化鍵によって、ｂａｓｅ６４テキストフォーマットで「ＬｚＥｓＪｋｂＷ８ｘｄｆ７０ｖＦ＋７ｗＴＤ６ｎ５ｚｋｔＦｌ３ＢＨＧＦｂＨｈＭＱｋｖＪ９ｆ４ｅｋ４ＨｕＣＭ７ｙ５９ＸＣｒ０ｒＣｈｄ」を生じている。図示の通り、衣料品４２５は、機械可読情報４６０を含み得る。機械可読情報４６０は、機械可読情報４３０が衣料品４２５に印刷される前に、衣料品に印刷および／または配置され得る。例えば、不正行為および／または不正行動を防止するために、機械可読情報４６０は、医療システム１００（図１参照）を含む医療施設に送達される前に、衣料品に印刷および／または配置され得る。衣料品４２５の製造者は、衣料品４２５に機械可読情報４６０を印刷し得るおよび／または配置し得る。
【００５１】
図示の通り、衣料品４２５は向き情報４３５および４４０を含み得る。例えば、向き情報４３５は、患者１１０の足の方へ向かって向けられるべき衣料品４２５の側を指示し、および向き情報４４０は、患者１１０（図１参照）の頭部の方へ向かって向けられるべき衣料品４２５の側を指示し得る。衣料品４２５は他の向き情報も含み得る。図示の通り、衣料品４２５は向き情報４４５を含み得る。
【００５２】
向き情報はまた、医療処置の複数のステップの最中、医療関係者に術中支援を提供し得る。一例では、向き情報４４５ａは、医療処置において使用される機器および／またはインプラントの向きに関連する文字で書かれた向きおよび／または命令を含み得る。別の例では、向き情報４４５ｂは、医療処置において使用される機器および／またはインプラントのグラフィックおよび／または描写を含み得る。図示の通り、向き情報４４５は、４５度の軸で移植されるレンズのメッセージおよび図解を提供する。
【００５３】
図５は、１つ以上の実施形態による、キャップまたは帽子として供される衣料品５２５を示す。図示の通り、衣料品５２５は、氏名５５０と、患者１１０（図１参照）に関連する機械可読情報５３０とを含み得る。機械可読情報５３０は、二次元バーコードとし得るまたはそれを含み得る。例えば、二次元バーコードは、クイックレスポンス（ＱＲ）コードとし得るまたはそれを含み得る。
【００５４】
機械可読情報５３０は、例えば、氏名、誕生日、患者識別コード、蘇生指令、１つ以上の医学的状態、１種以上のアレルギーおよび／または状態、血液型、手術のタイプ、手術のタイプ内の明細事項、および認証コードのうちの１つ以上を含み得る。例えば、機械可読情報４３０ｂは、列、例えばカンマで区切った値列、例えば「Ｊａｎｅ  Ｄｏｅ，０９Ｊａｎｕａｒｙ１９５５，１０９３８Ａ４５，Ｎ，Ｚ９１．０１２−４９３．２０−Ｚ８８．０，Ｚ６７．３１，ＣＡＢＧ−３６．１６，９ｅ６４ｃｄ２４５９４ｆｂａ１ｂｅ２０９７５ｆａｃ６４２０１ｅｂ」から形成され得る。そのようなものとして、値「１０９３８Ａ４５」は、追加的な患者情報を記憶するデータベースにアクセスするための索引または鍵として使用され得る患者識別情報とし得る。値「Ｎ」は、「蘇生しない」指令が負であることを指示し得る一方、値「Ｚ９１．０１２−４９３．２０−Ｚ８８．０」は、患者１１０（図１参照）が卵にアレルギーがあること（コード：Ｚ９１．０１２）、慢性閉塞性肺疾患（ＣＯＰＤ）を有すること（コード：４９３．２０）、およびペニシリンにアレルギーがあること（コード：Ｚ８８．０）を指示する、ハイフンで区切られた値とし得る。値「ＣＡＢＧ−３６．１６」はまた、患者１１０が冠動脈バイパス移植術（コード：ＣＡＢＧ）を、二重内胸動脈冠動脈バイパス（コード：３６．１６）として受けることを指示する、ハイフンで区切られた値を含み得る。
【００５５】
認証コードは、特に、チェックサムおよび暗号学的ハッシュ関数の１つ以上によって生成され得る。一例では、チェックサムは巡回冗長検査を含み得る。別の例では、暗号学的ハッシュ関数は、特に、メッセージダイジェストＭＤ−４、ＭＤ−５、セキュアハッシュアルゴリズム（ＳＨＡ）６４、ＳＨＡ−１２８、およびＳＨＡ−２５６のうちの少なくとも１つとし得る。認証コードは、患者情報から生成され得る。例えば、認証コードは、「Ｊａｎｅ  Ｄｏｅ，０９Ｊａｎｕａｒｙ１９５５，１０９３８Ａ４５，Ｎ，Ｚ９１．０１２−４９３．２０−Ｚ８８．０，Ｚ６７．３１，ＣＡＢＧ−３６．１６」から生成され得る。認証コードは、患者情報および「ソルト」から生成され得る。例えば、「ソルト」は、チェックサムおよび／またはハッシュを変更するために使用される値とし得、元の列およびソルトが、元の列を認証するために必要とされるようにする。認証コード「９ｅ６４ｃｄ２４５９４ｆｂａ１ｂｅ２０９７５ｆａｃ６４２０１ｅｂ」は、ＭＤ−５ハッシュ関数、患者情報、およびソルト「，ＰｑｕｌＺｆＷ２」によって生成され得る。そのようなものとして、「９ｅ６４ｃｄ２４５９４ｆｂａ１ｂｅ２０９７５ｆａｃ６４２０１ｅｂ」は、列「Ｊａｎｅ  Ｄｏｅ，０９Ｊａｎｕａｒｙ１９５５，１０９３８Ａ４５，Ｎ，Ｚ９１．０１２−４９３．２０−Ｚ８８．０，Ｚ６７．３１，ＣＡＢＧ−３６．１６，ＰｑｕｌＺｆＷ２」のＭＤ−５ハッシュ関数を使用することによって、生成され得る。
【００５６】
図６は、１つ以上の実施形態による、機械可読情報６３０を含む手術着のシャツとして供される別の衣料品６２５を示す。図示の通り、衣料品６２５ａ〜６２５ｄは、それぞれの衣料品の様々な個所にそれぞれ機械可読情報６３０ａ〜６３０ｄが印刷および／または配置され得る。機械可読情報６３０は、機械可読情報６３０により簡単にアクセスできるようにし得るおよび／または医療処置に依存し得る様々な位置に配置され得る。機械可読情報６３０は、１つ以上の構造、１つ以上の機能、および／または機械可読情報１３０（図１参照）、４３０（図４参照）、および５３０（図５参照）のうちの１つ以上を参照して説明した情報を含み得る。
【００５７】
図７も、１つ以上の実施形態による、機械可読情報７３０を含む、手術着のズボン７２５ａおよび７２５ｂおよび検査用半ズボン７２５ｃおよび７２５ｄとして供される別の衣料品７２５を示す。図示の通り、衣料品７２５ａ〜７２５ｄは、それぞれの衣料品の様々な個所にそれぞれ機械可読情報７３０ａ〜７３０ｄが印刷および／または配置され得る。機械可読情報７３０は、機械可読情報７３０により簡単にアクセスできるようにし得るおよび／または医療処置に依存し得る様々な位置に配置され得る。機械可読情報７３０は、１つ以上の構造、１つ以上の機能、および／または機械可読情報１３０（図１参照）、４３０（図４参照）、および５３０（図５参照）のうちの１つ以上を参照して説明した情報を含み得る。
【００５８】
ここで図８を参照すると、１つ以上の実施形態による印刷プロセスおよびシステムのブロック図が示されている。図示の通り、処理システム８００は、プリンター８３５に通信可能に結合され得る。一例では、処理システム８００は、ワイヤレス通信によってプリンター８３５に通信可能に結合され得る。第２の例では、処理システム８００は、有線通信によってプリンター８３５に通信可能に結合され得る。別の例では、処理システム８００は、ネットワークを介してプリンター８３５に通信可能に結合され得る。処理システム８００およびプリンター８３５は、別個のブロックとして示されているが、システム８００およびプリンター８３５は組み合わせられていてもよい。
【００５９】
処理システム８００は、処理システム２００を参照して説明したものなどの、１つ以上の構造および／または１つ以上の機能を含み得る。例えば、処理システム８００は、プロセッサー８１０と、プロセッサー８１０に通信可能に結合され得かつプロセッサー命令８２０を含み得るメモリ８１５と、プロセッサー８００に通信可能に結合され得るＩ／Ｏ機器８２５とを含み得る。プロセッサー８１０、メモリ８１５、プロセッサー命令８２０、およびＩ／Ｏ機器８２５は、それぞれプロセッサー２１０、メモリ２１５、プロセッサー命令２２０、およびＩ／Ｏ機器２２５を参照して説明したものなどの、１つ以上の構造および／または１つ以上の機能を含み得る。
【００６０】
処理システム８００は、任意のタイプの処理機器とし得るまたはそれを含み得る。例えば、処理システム８００は、特に、ＰＤＡ、ラップトップコンピュータシステム、デスクトップコンピュータシステム、サーバコンピュータシステム、組み込み処理システム、無線電話機器、タブレットコンピューティング機器、およびモバイルコンピューティングシステムとし得るまたはそれを含み得る。
【００６１】
図示の通り、処理システム８００は、外部ストレージ２３０ａに通信可能に結合され得、および外部ストレージ２３０ｂにネットワーク２３５を介して通信可能に結合され得る。ストレージ２３０は、患者１１０（図１参照）の少なくとも一部分の１つ以上の診断画像を記憶し得および／または患者１１０の少なくとも一部分の１つ以上の参照画像を記憶し得る。一例では、ストレージ２３０は、１つ以上のＸ線画像および／または１つ以上の磁気共鳴画像法（ＭＲＩ）画像を記憶し得る。別の例では、ストレージ２３０は、患者１１０の眼の１つ以上の参照画像を記憶し得る。ストレージ２３０は、術前測定値を記憶し得る。一例では、ストレージ２３０は心電図情報を記憶し得る。別の例では、ストレージ２３０は、特に、半径、半径、急勾配軸および扁平軸の角膜曲率、縁の位置および直径、瞳孔の位置および直径、および角膜反射位置のうちの１つ以上を記憶し得る。術前測定値は、１つ以上の医療処置を支援し得る。例えば、術前測定値は、白内障外科的処置において、１つ以上の式を用いて、切開の数および位置、および適切な眼内レンズを支援し得る。
【００６２】
図示の通り、プリンター８３５に媒体８３０ａが提供および／または供給され得る。プリンター８３５は、媒体に、１つ以上のマーキングとして機械可読情報および／または人間が読める情報を印刷および／または配置するように動作可能である印刷機器などの機器とし得るまたはそれを含み得る。例えば、プリンター８３５は、媒体８３０ａに機械可読情報でマークを付けて、マーク付き媒体８３０ｂを生じ得る。プリンター８３５は、媒体８３０ａに１つ以上の光コードを印刷および／または配置して、マーク付き媒体８３０ｂを生じ得る。プリンター８３５は、特に、向き情報および氏名情報の１つ以上を媒体８３０ａに印刷および／または配置して、マーク付き媒体８３０ｂを生じ得る。プリンター８３５は、向き情報１３５、１４０、１４５、４３５、４４０、および４４５の１つ以上を媒体８３０ａに印刷および／または配置して、マーク付き媒体８３０ｂを生じ得る。プリンター８３５は、氏名情報１５０、４５０、および５５０の１つ以上を媒体８３０ａに印刷および／または配置して、マーク付き媒体８３０ｂを生じ得る。
【００６３】
媒体８３０は、機械可読情報および／または人間が読める情報でマークが付けられ得る１つ以上の媒体とし得るまたはそれを含み得る。一例では、媒体８３０は、特に、紙、布、およびプラスチックのうちの１つ以上を含み得る。別の例では、媒体８３０は、特に、ヘッドバンド、キャップ、帽子、ステッカー（例えば、裏面接着剤付きステッカー）、手術着のズボン、包帯、手術着のシャツ、１つ以上のソックス、１つ以上のスリッパ、患者のガウン、検査用ケープ、検査用半ズボン、およびローブの１つ以上を含み得る。媒体８３０は、プリンター８３５が１つ以上のマーキングを媒体８３０に印刷および／または配置し得るように、配置され得る。一例では、媒体８３０は、プリンター８３５が１つ以上のマーキングを媒体８３０に印刷および／または配置し得るように、折り畳まれ得る。別の例では、媒体８３０の１つ以上の部分は、プリンター８３５が１つ以上のマーキングを媒体８３０に印刷および／または配置し得るフープおよび／またはカートリッジ内に、配置され得るおよび／またはそれらによって保持され得る。
【００６４】
処理システム８００は、プリンター８３５に情報を提供し得る。一例では、処理システム８００は、患者１１０（図１参照）に関連する情報をプリンター８３５に提供し得る。本明細書で説明される患者情報は、処理システム８００を介してプリンター８３５に提供され得る。第２の例では、処理システム８００は、ストレージ２３０から、患者１１０に関連する情報の１つ以上の部分を検索し得、および検索した情報の少なくとも一部分、患者１１０に関連する情報の１つ以上の部分に関連する鍵または索引、および／または患者１１０に関連する情報の１つ以上の部分に関連する認証情報を提供し得る。処理システム８００は、ストレージ２３０から術前測定値を検索し得、これは、プリンター８３５に提供され得る。１つ以上の診断画像に関連する鍵または索引が決定および／または作成され得、およびプリンター８３５に提供され得る。認証情報は、患者１１０（図１参照）に関連する機械可読情報がストレージ２３０ａに適合するおよび／または対応することを保証するように、決定および／または作成され得る。別の例では、処理システム８００は、機械可読マーキング情報をプリンター８３５に提供し得る。機械可読マーキング情報はバーコード情報を含み得る。
【００６５】
プリンター８３５は、医療施設に置かれ得る。例えば、プリンター８３５は、特に、診療所、病院、急病診療所、または外来外科センターに置かれ得る。プリンター８３５は、製造者および／または販売業者に置かれ得る。一例では、製造者および／または販売業者での衣料品への機械可読情報の印刷は、不正なおよび／または偽造の衣料品を防止するのに役立ち得る。別の例では、機械可読情報は、製造者および／または販売業者において、医療処置において使用される衣料品に印刷および／または配置され得、およびその機械可読情報が患者に割り当てられ得る。機械可読情報は、患者が衣料品を支給されるときに患者に割り当てられてもよく、および患者に割り当てられた機械可読情報は、患者を特定するために使用され得る、および／または患者に関連する情報を検索するために鍵を提供するために使用され得る。
【００６６】
ここで図９を参照すると、１つ以上の実施形態による、医療処置に関連する機械可読情報を提供する方法が示されている。ステップ９１０において、患者情報が受信され得る。患者情報は、医療処置および／または患者に関係のある情報を含み得る。例えば、患者情報は、特に、氏名、誕生日、医療処置情報、医療用インプラント情報、食物アレルギー、および薬物アレルギーのうちの１つ以上を含み得る。患者情報は記憶装置から受信され得る。一例では、記憶装置はデータベースを含んでもよく、および患者情報はデータベースから受信され得る。別の例では、記憶装置はＵＳＢ記憶装置を含み得る。患者情報は、処理システムおよび／またはコンピューティング機器から受信され得る。
【００６７】
ステップ９１５において、患者情報は符号化され得る。一例では、患者情報の符号化は、患者情報から、カンマで区切った値（ＣＳＶ）列を生じることを含み得る。第２の例では、患者情報の符号化は、患者情報の１つ以上の部分の暗号化を含み得る。第３の例では、患者情報の符号化は、患者情報の１つ以上の部分のハッシュおよび／またはチェックサムを計算することを含み得る。別の例では、患者情報の符号化は、患者情報を備える機械可読情報を符号化することを含み得る。
【００６８】
患者情報を備える機械可読情報の符号化は、グラフィック、ラスタ（例えば、ラスタファイル）、ビットマップ、スカラー・ベクトル・グラフィック、および命令（例えば、プリンターコマンド言語プログラムの命令、ＰｏｓｔＳｃｒｉｐｔ命令など）のうちの１つ以上を生じることを含み得る。例えば、グラフィック、ラスタ、ビットマップ、スカラー・ベクトル・グラフィック、および命令のうちの１つ以上は、バーコード情報および／またはシンボルを含み得る、および／またはバーコード情報および／またはシンボルを印刷および／または配置するために、プリンター８３５（図８参照）によって使用され得るデータを含み得る。バーコード情報は、あるタイプのバーコードを含み得る。例えば、バーコードのタイプは、特に、コーダバー、コード２５、コード１１、ファーマコード（ｆａｒｍａｃｏｄｅ）、コード３２、コード３９、コード４９、コード９３、コード１２８、ＣＰＣバイナリ、ＥＡＮ  ２、ＥＡＮ  ５、ＥＡＮ  ８、ＥＡＮ  １３、ＧＳ１−１２８、ＧＳ１  ＤａｔａＢａｒ、ＩＴＦ−１４、ＪＡＮ、ＫａｒＴｒａｋ  ＡＣＩ、ＭＳＩ、Ｐｈａｒｍｃｏｄｅ、Ｐｌｅｓｓｙ、ＰｏｓｔＢａｒ、ＰＯＳＴＮＥＴ、ＲＭ４ＳＣＣ／ＫＩＸ、ＲＭ  Ｍａｉｌｍａｒｋ  Ｃ、ＲＭ  Ｍａｉｌｍａｒｋ  Ｌ、Ｔｅｌｅｐｅｎ、Ｕｎｉｖｅｒｓａｌ  Ｐｒｏｄｕｃｔ  Ｃｏｄｅ、Ａｚｔｅｃ  Ｃｏｄｅ、Ｃｏｄｅ  １、ＣｏｌｏｒＣｏｄｅ、Ｃｏｌｏｒ  Ｃｏｎｓｔｒｕｃｔ  Ｃｏｄｅ、ＣｏｎｔｏＳｉｇｎ、ｄ−ｔｏｕｃｈ、ＤａｔａＧｌｙｐｈｓ、Ｄａｔａ  Ｍａｔｒｉｘ、Ｄａｔａｓｔｒｉｐ  Ｃｏｄｅ、ＥＺｃｏｄｅ、Ｈｉｇｈ  Ｃａｐａｃｉｔｙ  Ｃｏｌｏｒ  Ｂａｒｃｏｄｅ、Ｈａｎ  Ｘｉｎ  Ｂａｒｃｏｄｅ、ＨｕｅＣｏｄｅ、ＩｎｔｅｒＣｏｄｅ、ＭａｘｉＣｏｄｅ、ＮｅｘＣｏｄｅ、ＰＤＦ４１７、Ｑｏｄｅ、ＱＲコード、ＳｈｏｔＣｏｄｅ、またはＳＰＡＲＱＣｏｄｅを含み得る。
【００６９】
ステップ９２０において、符号化された患者情報がプリンターに提供され得る。例えば、符号化された患者情報は、特に、ワイヤレス通信、有線通信、およびネットワーク通信のうちの１つ以上を介してプリンター８３５（図８参照）に提供され得る。
【００７０】
ステップ９２５において、機械可読情報は、媒体に印刷および／または配置され得る。例えば、プリンター８３５（図８参照）は、機械可読情報を媒体８３０（図８参照）に印刷および／または配置し得る。プリンター８３５は、バーコードを媒体８３０に印刷し得る。プリンター８３５は、シンボルを媒体８３０に印刷および／または配置し得る。
【００７１】
機械可読情報は、１つ以上の特定波長光を反射するおよび／または１つ以上の特定波長光を他の１つ以上の特定波長光に変えるマーキング材を使用して、媒体に印刷および／または配置され得る。例えば、機械可読マーキングは、紫外線光を反射するおよび／またはそれを変えるインクを使用して、媒体に印刷および／または配置され得る。インクは、紫外線光を、本明細書で説明される１つ以上のカメラおよび／またはイメージセンサーによって取得され得る別の波長の光に変え得る。機械可読情報は、１つ以上の特定波長光を吸収するマーキング材を使用して、媒体に印刷および／または配置され得る。
【００７２】
ここで、図１０を参照すると、１つ以上の実施形態による、医療処置に関連する機械可読情報を処理する方法が示されている。ステップ１０１０において、機械可読情報が取得され得る。一例では、機械可読情報の取得は、カメラが、機械可読情報を含む画像を取得することを含み得る。医療システム１００（図１参照）のカメラは、機械可読情報１３０（図１参照）を含む画像を取得し得る。第２の例では、携帯型医療機器３００ａ（図３Ａ参照）が、カメラ３１０（図３Ａ参照）を使用して、機械可読情報を含む画像を取得し得る。別の例では、携帯型医療機器３００ｂ（図３Ｂ参照）が、ＯＡ機器３３０（図３Ｂ参照）を使用して、機械可読情報を取得し得る。ＯＡ機器３３０は、特に、機械可読情報１３０、４３０（図４参照）、４６５（図４参照）、５３０（図５参照）、５６５（図５参照）、６３０（図６参照）、および７３０（図７参照）のうちの１つ以上を取得し得る。
【００７３】
ステップ１０１５において、機械可読情報が処理され得る。機械可読情報の処理は、１つ以上の画像を処理して、機械可読情報によって記憶されている情報を決定することを含み得る。例えば、１つ以上の画像は、医療処置に関連する情報を含む１つ以上のバーコードを含み得る。１つ以上のバーコードは、本明細書で説明される情報を含み得、および機械可読情報の処理は、機械可読情報から、医療処置に関連する情報を検索することを含み得る。
【００７４】
機械可読情報は、患者データを決定するために処理され得る。一例では、機械可読情報は患者データを含み得る。別の例では、患者データを決定するための機械可読情報の処理は、患者データの１つ以上の部分を記憶装置から検索することを含み得る。ストレージ２３０ａ（図２参照）は、患者データの１つ以上の部分を記憶し得、および機械可読情報の１つ以上の部分を使用して、患者データの１つ以上の部分をストレージ２３０ａから検索し得る。ストレージ２３０ｂ（図２参照）は、患者データの１つ以上の部分を記憶し得、および機械可読情報の１つ以上の部分を使用して、ネットワーク２３５（図２参照）を介して、患者データの１つ以上の部分をストレージ２３０ｂから検索し得る。
【００７５】
機械可読情報は、暗号化された情報を含み得る。例えば、患者データを決定するための機械可読情報の処理は、患者データを決定するために、機械可読情報によって記憶された情報を復号することを含み得る。
【００７６】
ステップ１０２０において、医療処置が決定され得る。例えば、機械可読情報から検索された情報は、医療処置を指示し得る。機械可読情報４３０（図４参照）から検索された情報は、白内障手術の医療処置を指示し得る。機械可読情報５３０（図５参照）から検索された情報は、冠動脈バイパス移植手術の医療処置を指示し得る。医療システム１００（図１参照）は、複数の医療処置において使用されるように動作可能としてもよく、および機械可読情報から検索された情報を使用して、医療システム１００が許可され得る複数の医療処置から、その医療処置を選択し得る。
【００７７】
ステップ１０２５において、医療システム１００（図１参照）の１つ以上の部分の使用は、機械可読情報から検索された情報に基づいて、許可され得る。一例では、顕微鏡１２０（図１参照）およびディスプレイ１５５（図１参照）の使用が許可され得る。第２の例では、ディスプレイ１６０（図１参照）の使用が、患者１１０（図１参照）のバイタルサインを表示するために許可され得るが、顕微鏡１２０によって取得した画像を提供するためには許可されない。機械可読情報から検索された情報は、学生の医療関係者が、医療処置に関与しないことを指示し得る。別の例では、ディスプレイ１６０の使用が、機械可読情報から検索された情報の１つ以上の指示に基づいて、顕微鏡１２０によって取得された画像を提供するために、許可され得る。
【００７８】
ステップ１０３０において、少なくとも１つの計画された処置ステップを指示するユーザ入力が、受信され得る。例えば、医療処置は、複数の計画された処置ステップを組み込み得る。医療処置は、複数の計画された処置ステップを組み込む手術を含み得る。
【００７９】
ステップ１０３５において、医療処置が、ステップ１０３０において受信した少なくとも１つの計画された処置ステップを組み込んでいるかどうかが決定され得る。医療処置が、少なくとも１つの計画された処置ステップを組み込んでいる場合、カメラによって取得された画像の少なくとも一部分が、ステップ１０４０における表示に提供され得る。一例では、カメラによって取得された画像の少なくともその部分は、ディスプレイ１５５および１６０（図１参照）の少なくとも一方に提供され得る。別の例では、顕微鏡１２０（図１参照）がディスプレイを含んでもよく、およびカメラによって取得された画像の少なくともその部分は、顕微鏡１２０のディスプレイに提供され得る。顕微鏡１２０は、１つ以上の対象の１つ以上のビューを拡大するディスプレイを含み得る。例えば、ディスプレイに提供することは、１つ以上の対象の１つ以上のビューを拡大することを含み得る。
【００８０】
医療処置が、少なくとも１つの計画された処置ステップを組み込んでいない場合、ステップ１０４５において、エラー情報がディスプレイに提供され得る。一例では、エラー情報は、ディスプレイ１５５および１６０（図１参照）の少なくとも一方に提供され得る。第２の例では、顕微鏡１２０（図１参照）がディスプレイを含んでもよく、およびエラー情報は、顕微鏡１２０のディスプレイに提供され得る。別の例では、エラー情報は、顕微鏡１２０（図１参照）によって、１つ以上の対象の１つ以上のビューを拡大するディスプレイに提供され得る。
【００８１】
医療システムの少なくとも第２の部分の動作は、ステップ１０５０において、医療処置が少なくとも１つの計画された処置ステップを組み込んでいない場合、回避され得る。例えば、医療システムの少なくとも第２の部分の使用の回避は、医療処置におけるエラーまたはさらなるエラーを防止するのに役立ち得る。医療システムの少なくとも第２の部分は、ステップ１０２５で許可された医療システムの少なくとも第１の部分とは異なり得る。医療システムの少なくとも第２の部分は、ステップ１０２５で許可された医療システムの少なくとも第１の部分とし得る。例えば、医療システムの少なくとも第１の部分は、医療処置が少なくとも１つの計画された処置ステップを組み込んでいない場合、動作不能にされ得る。
【００８２】
医療システムの少なくとも第２の部分の動作の回避は、取り消され得る。一例では、医療システムの少なくとも第２の部分の回避は、救命および／または四肢温存目的で、取り消され得る。第２の例では、医療処置の１つ以上の部分は経験的とし得る。医療処置の経験的な１つ以上の部分は、医療処置の記憶されているプロトコルには組み込まれていないかもしれない。別の例では、医療システムの総合制御は、１つ以上の医療関係者から保留にされないかもしれない。
【００８３】
ここで、図１１を参照すると、１つ以上の実施形態による、医療処置に関連する機械可読情報、および機械可読情報の向きを処理する方法が示されている。ステップ１１１０〜１１３０は、それぞれ、ステップ１０１０〜１０３０（図１０参照）に従って実施される。
【００８４】
ステップ１１３５において、機械可読情報に基づく向きが決定され得る。機械可読情報から検索された情報は、向きを含み得るおよび／または指示し得る。例えば、医療システム１００の１つ以上の部分（図１参照）は、向きに基づいて、許可されたりまたは動作不能にされたりし得る。向きは、医療システム１００（図１参照）の一部分、例えば顕微鏡１２０（図１参照）に対するとしてもよく、および医療システム１００の１つ以上の部分は、医療システム１００のその部分に対する向きに基づいて、許可されたりまたは動作不能にされたりし得る。
【００８５】
ステップ１１４０において、決定された向きが、少なくとも１つの計画された処置ステップに従っているかどうかが、決定され得る。決定された向きが、少なくとも１つの計画された処置ステップに従っている場合、ステップ１１４５において、カメラによって取得された画像の少なくとも一部分がディスプレイに提供され得る。ステップ１１４５は、ステップ１０４０に従って実施され得る（図１０参照）。決定された向きが、少なくとも１つの計画された処置ステップに従っていない場合、ステップ１１５０において、エラー情報がディスプレイに提供され得る。ステップ１１５０および１１５５は、それぞれステップ１０４５および１０５０に従って、それぞれ実施され得る。
【００８６】
方法、および／または工程要素、および／または方法および／またはプロセッサー要素の１つ以上の部分の１つ以上は、様々な順序で実施されても、繰り返されても、または省略されてもよい。さらに、追加的な、補足の、および／または繰り返しの方法および／または工程要素が、所望通りに実施されても、例示されても、および／または実行されてもよい。さらに、システム要素の１つ以上は省略されてもよく、および／または追加的なシステム要素が所望通りに追加されてもよい。
【００８７】
上記で開示した主題は、説明であり、限定であるとはみなされず、および添付の特許請求の範囲は、全てのそのような修正例、改良例、および他の実施例を網羅するものとし、それらは全て、本開示の真の趣旨および範囲内にある。それゆえ、法律の許す最大限の範囲で、本開示の範囲は、以下の特許請求の範囲およびそれらの等価物の可能な限り最も広い範囲の解釈で決定されるものとし、および上述の詳細な説明によって制限または限定されない。
【図１】
0006882487.tif 000002
【図２Ａ−２Ｄ】
0006882487.tif 000003
【図３Ａ−３Ｂ】
0006882487.tif 000004
【図４】
0006882487.tif 000005
【図５】
0006882487.tif 000006
【図６】
0006882487.tif 000007
【図７】
0006882487.tif 000008
【図８】
0006882487.tif 000009
【図９】
0006882487.tif 000010
【図１０】
0006882487.tif 000011
【図１１】
0006882487.tif 000012